(57)【特許請求の範囲】
【請求項１】
不透水性材料を用いて受け皿状に形成したトイレ本体の上に尿吸収シートと網状部材を重ねて載置し、重ねた両シートの周縁部を押え枠でトイレ本体との間に挟んで固定する方式のペット用トイレにおいて、
前記網状部材は上側部材と下側部材とを分離可能に積み重ねて構成してあり、
前記上側部材は断面半割楕円状の直線リブが半割面を上側にして複数本、等間隔に上側枠体に張り渡してあり、
前記下側部材は断面縦長矩形状の直線リブが複数本、等間隔に、前記上側部材と重ねた状態で前記上側部材の直線リブと直行する方向に下側枠体に張り渡してあり、且つ前記上側部材と重ねた状態で上側部材の直線リブと交差する部位には上側部材の直線リブの断面形状に等しい形状の窪みが形成してあり、
前記上側部材と下側部材とを重ねた状態では前記上側部材の直線リブが前記下側部材の直線リブの窪みに嵌まり込むことにより上側部材と下側部材の各直線リブの上面が同一平面上に位置するように構成してあることを特徴とするペット用トイレ。
【請求項２】
不透水性材料を用いて受け皿状に形成したトイレ本体の上に尿吸収シートと網状部材を重ねて載置する方式のペット用トイレにおいて、
前記網状部材は上側部材と下側部材とを分離可能に積み重ねて構成してあり、
前記上側部材は断面半割楕円状の直線リブが半割面を上側にして複数本、等間隔に上側枠体に張り渡してあり、
前記下側部材は断面縦長矩形状の直線リブが複数本、等間隔に、前記上側部材と重ねた状態で前記上側部材の直線リブと直行する方向に下側枠体に張り渡してあり、且つ前記上側部材と重ねた状態で上側部材の直線リブと交差する部位には上側部材の直線リブの断面形状に等しい形状の窪みが形成してあり、
前記上側部材と下側部材とを重ねた状態では前記上側部材の直線リブが前記下側部材の直線リブの窪みに嵌まり込むことにより上側部材と下側部材の各直線リブの上面が同一平面上に位置するように構成してあることを特徴とするペット用トイレ。
【請求項３】
請求項１または２に記載のペット用トイレにおいて、前記下側部材の窪みの形状をＶ字状とし、前記上側部材の断面形状は該Ｖ字状の窪みに嵌まる形状としたことを特徴とするペット用トイレ。
【請求項４】
請求項１または２に記載のペット用トイレにおいて、前記下側部材の窪みの形状を下に凸の台形状とし、前記上側部材の断面形状は該下に凸の台形状の窪みに嵌まる形状としたことを特徴とするペット用トイレ。
【請求項５】
請求項１または２に記載のペット用トイレにおいて、前記下側部材の窪みの形状を浅い矩形状窪みの底に、更に下に凸の台形窪みを形成した形状とし、前記上側部材の断面形状は該窪みに嵌まる形状としたことを特徴とするペット用トイレ。
【発明の詳細な説明】
【技術分野】
【０００１】
本発明はペットが排泄した尿等を尿吸収シートに吸収させて処理するペット用トイレに関し、特には尿吸収シートの上に載置する網状部材がペットの糞尿等で汚れた場合にその洗浄を容易にできるようにしたペット用トイレに関する。
【背景技術】
【０００２】
犬、猫等のペットを室内で飼う場合、ペットが排泄する尿等を処理するためのペット用トイレが使用される。ペット用トイレはペットが排泄する尿等を吸収することと、ペットの足が排泄物で汚れるのを防止することを主目的とするもので各種方式が提案されている。
【０００３】
代表的な方式としては、不透水性材料を用いて略矩形受け皿状に形成したトイレ本体の上に尿吸収シートを敷設し、その上に格子状網目を有する網状シート（網状部材）を載置し、重ねた両シートの周縁を押え部材や枠体でトイレ本体との間に挟んで固定する方式が開示されている（例えば、特許文献１、２参照）。この場合、格子状網目を有する網状部材は尿吸収シートのずれや浮き上がりを防止すると共に、尿を通過させて尿吸収シートに吸収させる。これによりペットの足の汚れが防止され、尿吸収性シートがペットにより掻きむしられることも防止される。
【０００４】
しかし、この方式の場合、網状部材の網目が格子状に形成されているため、網状部材の上でペットが糞をした場合には糞が格子状網目の隙間に入り込んで付着する。付着した糞は洗浄して除かねばならないが、狭い格子状網目に入り込んで付着しているため洗浄してきれいに取り除くのは容易な作業ではない。
【先行技術文献】
【特許文献】
【０００５】
【特許文献１】特開２００８−２９３６０号公報
【特許文献２】特開２００８−２９３６０号公報
【発明の開示】
【発明が解決しようとする課題】
【０００６】
本発明は、従来技術のこうした問題点を解決するためになされたもので、その課題はトイレ本体の上に尿吸収シートと網状部材を重ねて載置し、ペットの排泄した尿を尿吸収シートに吸収させてペットの足の汚れを防止すると同時にペットによる尿吸収シートの掻きむしりを防止する方式のペット用トイレにおいて、ペットの排糞等により糞等の付着した網状部材の洗浄を容易に行なえるようにしたペット用トイレを提供することにある。
【課題を解決するための手段】
【０００７】
前記課題を解決するための請求項１に記載の発明は、不透水性材料を用いて受け皿状に形成したトイレ本体の上に尿吸収シートと網状部材を重ねて載置し、重ねた両シートの周縁部を押え枠でトイレ本体との間に挟んで固定する方式のペット用トイレにおいて、網状部材は上側部材と下側部材とを分離可能に積み重ねて構成してあり、上側部材は断面半割楕円状の直線リブが半割面を上側にして複数本、等間隔に上側枠体に張り渡してあり、下側部材は断面縦長矩形状の直線リブが複数本、等間隔に、上側部材と重ねた状態で上側部材の直線リブと直行する方向に下側枠体に張り渡してあり、且つ上側部材と重ねた状態で上側部材の直線リブと交差する部位には上側部材の直線リブの断面形状に等しい形状の窪みが形成してあり、上側部材と下側部材とを重ねた状態では上側部材の直線リブが下側部材の直線リブの窪みに嵌まり込むことにより上側部材と下側部材の各直線リブの上面が同一平面上に位置するように構成してあることを特徴とするペット用トイレである。
【０００８】
本ペット用トイレで尿吸収シートの上に載置する網状部材は下側部材の上に上側部材を分離可能に重ねた構成としてある。上側部材と下側部材は分離可能であるため網状部材が汚れた場合には、上側部材と下側部材を分離して別々に洗浄することができる。上側部材と下側部材は後掲の図４、図５に示すように簀子状に形成してあるので格子状に形成された従来の網状部材に比べて網状部材に付着したペットの糞等の洗浄作業が容易となる利点を有する。
【０００９】
また、請求項２に記載の発明は、不透水性材料を用いて受け皿状に形成したトイレ本体の上に尿吸収シートと網状部材を重ねて載置する方式のペット用トイレにおいて、網状部材は上側部材と下側部材とを分離可能に積み重ねて構成してあり、上側部材は断面半割楕円状の直線リブが半割面を上側にして複数本、等間隔に上側枠体に張り渡してあり、下側部材は断面縦長矩形状の直線リブが複数本、等間隔に、上側部材と重ねた状態で上側部材の直線リブと直行する方向に下側枠体に張り渡してあり、且つ上側部材と重ねた状態で上側部材の直線リブと交差する部位には上側部材の直線リブの断面形状に等しい形状の窪みが形成してあり、上側部材と下側部材とを重ねた状態では上側部材の直線リブが下側部材の直線リブの窪みに嵌まり込むことにより上側部材と下側部材の各直線リブの上面が同一平面上に位置するように構成してあることを特徴とするペット用トイレ。
【００１０】
このような構成のペット用トイレも請求項１に記載の発明と同様の効果を奏する。
【００１１】
また、請求項３に記載の発明は、請求項１または２に記載のペット用トイレにおいて、下側部材の窪みの形状をＶ字状とし、上側部材の断面形状は該Ｖ字状の窪みに嵌まる形状としたことを特徴とするペット用トイレである。
【００１２】
このような構成のペット用トイレも請求項１に記載の発明と同様の効果を奏する。
【００１３】
また、請求項４に記載の発明は、請求項１または２に記載のペット用トイレにおいて、下側部材の窪みの形状を下に凸の台形状とし、上側部材の断面形状は該下に凸の台形状の窪みに嵌まる形状としたことを特徴とするペット用トイレである。
【００１４】
このような構成のペット用トイレも請求項１に記載の発明と同様の効果を奏する。
【００１５】
また、請求項５に記載の発明は、請求項１または２に記載のペット用トイレにおいて、下側部材の窪みの形状を浅い矩形状窪みの底に更に下に凸の台形窪みを形成した形状とし、上側部材の断面形状は該窪みに嵌まる形状としたことを特徴とするペット用トイレである。
【００１６】
このような構成のペット用トイレも請求項１に記載の発明と同様の効果を奏する。
【図面の簡単な説明】
【００１７】
【図１】第1の実施形態に係るペット用トイレ１の外観斜視図である。
【図２】ペット用トイレ１の分解斜視図である。
【図３】図１のＡ−Ａ線に沿った断面図である。
【図４】網状部材４の上側部材６の部分拡大図である。
【図５】網状部材４の下側部材７の部分拡大図である。
【図６】下側部材７の上に上側部材６を積み重ねて格子状とした網状部材４の部分拡大図である。
【図７】図２の５個の構成部品を積み重ねた状態の図１のＡ−Ａ線に沿った断面図である。
【図８】第２の実施形態に係るペット用トイレ１ａの外観斜視図である。
【図９】ペット用トイレ１ａの分解斜視図である。
【図１０】図８のＢ−Ｂ線に沿った断面図である。
【図１１】下側部材７の直線リブ１４の窪み１５の変形実施例である。
【発明を実施するための形態】
【００１８】
以下、本発明に係るペット用トイレの実施形態を形態別に説明する。
（第１の実施形態）
図１は第1の実施形態に係るペット用トイレ１の外観斜視図、図２はその分解斜視図である。ペット用トイレ１は、下側から順にトイレ本体２、尿吸収シート３、網状部材４、押え枠５を積み重ねて構成されている。このうちの網状部材４は上側部材６と下側部材７を分離可能に積み重ねて構成される。図３はこれら５個の構成部品を積み重ねてペット用トイレとして使用する場合の図１のＡ−Ａ線に沿った断面図である。
【００１９】
トイレ本体２は周縁部に立設部を有する平面視長方形の受け皿状に形成されており、不透水性材料を用いて製作されている。トイレ本体２の内底面には、犬、猫等のペットが排泄した尿等を吸収させるための尿吸収シート３が載置される。尿吸収シート３のサイズはトイレ本体２の内底面の大きさにほぼ等しくしてある。
【００２０】
トイレ本体２の内底面に載置した尿吸収シート３の上には網状部材４が載置される。本実施形態のペット用トイレ１の特徴はこの網状部材４の構成にある。尿吸収シート３の上に載置する網状部材４は、尿吸収シート３がペットにより掻きむしられるのを防止することと、ペットが排泄した尿等を網状部材４の隙間部を通して下の尿吸収シート３に吸収させてペットの足の汚れを防止することを目的としている。
【００２１】
従来のペット用トイレでは、この網状部材として格子状に形成された一枚の網状部材（網状シート）が採用されてきた。これに対して本実施形態のペット用トイレ１の網状部材４は、上側部材６と下側部材７を分離可能に積み重ねて格子状にする構成を採用している。図４は網状部材４の上側部材６の部分拡大図、図５は下側部材７の部分拡大図である。そして図６は下側部材７の上に上側部材６を積み重ねて格子状とした網状部材４の部分拡大図である。
【００２２】
上側部材６は図４に示すように、両側に設けた２本の横木からなる上側枠体１０ａ、１０ｂの間に断面半割楕円状の複数本の直線リブ１１が半割面を上側にして等間隔の簀子状に張り渡した構成にしてある。他方の下側部材７も図５に示すように、両側に設けた２本の横木からなる下側枠体１３ａ、１３ｂの間に複数本の直線リブ１４を等間隔の簀子状に張り渡した構成にしてある。その直線リブ１４は断面縦長矩形状で、図６に示すように上側部材６を上に重ねた状態では上側部材６の直線リブ１１と直行する方向に下側枠体７に張り渡してある。そして、重ねた状態で上側部材６の直線リブ１１と交差する部位には、上側部材６の直線リブ１１の断面形状に等しい形状の窪み１５が形成してある。
【００２３】
このような構成により下側部材７の上に上側部材６を重ねると、上側部材６の直線リブ１１が下側部材７の直線リブ１４の窪み１５に嵌まり込み、図６に示すように上側部材６と下側部材７の各直線リブ１１、１４の上面側が同一平面上に位置する格子状の網状部材４が構成される。この積み重ねて構成される格子状の網状部材４は尿吸収シート３の上に載置される。
【００２４】
網状部材４の上には押え枠５が載置される。押え枠５は網状部材４の周縁部をトイレ本体２側に押し付け、網状部材４と尿吸収シート３の位置ずれを防止する。図７は、図２に示した５個の構成部品を積み重ねた状態の図１のＡ−Ａ線に沿った断面図である。トイレ本体２の長手方向両側面には弾性部材を用いて製作されたフック式止め具２０が回動可能に取り付けてある。５個の構成部品を積み重ねた状態でフック式止め具２０を押え枠５側に回動させ、図３に示すようにその先端部で押え枠５をトイレ本体２側に押し付ける。押え枠５の下面側にはトイレ本体２の内側に嵌まる嵌めあい構造が形成されており、フック式止め具２０による押し付けにより押え枠５のトイレ本体２に対する位置ずれが防止されるようになっている。
【００２５】
本実施形態のペット用トイレ１では、尿吸収シート３の上に載置する網状部材４を下側部材７の上に上側部材６を分離可能に重ねる構成とした。そのため網状部材４が汚れた場合には上側部材６と下側部材７を分離して別々に洗浄することができる。上側部材６と下側部材７は図４、図５に示すように簀子状に形成されているため、一枚で格子状に形成された従来の網状シート（網状部材）に比べて網状部材４に付着したペットの糞等の洗浄作業が容易となる利点を有する。
【００２６】
（第２の実施形態）
図８は第２の実施形態に係るペット用トイレ１ａの外観斜視図、図９はその分解斜視図、図１０は図８のＢ−Ｂ線に沿った断面図である。ペット用トイレ１ａは、下側から順にトイレ本体２、尿吸収シート３、網状部材４を積み重ねて構成されており、図２に示した第１の実施形態に係るペット用トイレ１から押え枠５を省いた構成となっている。
【００２７】
網状部材４は第１の実施形態に係るペット用トイレ１の場合と同様に、上側部材６と下側部材７を分離可能に積み重ねて格子状にする構成となっている。上側部材６と下側部材７の構成は図４、図５に示した第１の実施形態に係るペット用トイレ１のものと同じである。下側部材７の上に上側部材６を重ねた状態では上側部材６の直線リブ１１が下側部材７の直線リブ１４の窪み１５に嵌まり込み、図６に示すように上側部材６と下側部材７の各直線リブ１１、１４の上面側が同一平面上に位置する格子状の網状部材４が構成される。積み重ね格子状とした網状部材４は尿吸収シート３の上に載置される。
【００２８】
本実施形態のペット用トイレ１ａは網状部材４を尿吸収シート３の上に載置したのみであるが、上側部材６の直線リブ１１が下側部材７の直線リブ１４の窪み１５に嵌まり込むため、面積が広ければ上側部材６、下側部材７が位置ずれすることはない。位置ずれが心配される場合は、上側部材６と下側部材７を締め付け固定する機構を部材の枠部分に追加してもよい。網状部材４は第１の実施形態の場合と同様に下側部材７の上に上側部材６を分離可能に重ねる構成としてあるため、網状部材４が汚れた場合には上側部材６と下側部材７を分離して別々に洗浄することができる。上側部材６と下側部材７は図４、図５に示すように簀子状に形成されているため、一枚で格子状に形成された従来の網状シート（網状部材）に比べて網状部材４に付着したペットの糞等の洗浄作業が容易となる利点を有する。
【００２９】
（その他の実施形態）
前記第１、第２の実施形態では図５に示したように網状部材４の下側部材７の直線リブ１４に設ける窪み１５は半割楕円状とした。そして、それに嵌まる上側部材６の直線リブ１１の断面はその半割楕円状に等しい断面形状とした。この窪み１５と、それに対応する直線リブ１１の断面形状は半割楕円状と異なる形状としてもよい。図１１は、その形状の例で下側部材７の直線リブ１４に設ける窪み１５の形状である。上側部材６の直線リブ１１の断面はその窪み１５に等しい形状とする。
【００３０】
図１１の（１）は窪み１５をＶ字状とした例である。図１１の（２）は下に凸の台形状とした例である。図１１の（３）は浅い矩形状窪みの底に更に下に凸の台形窪みを形成した例である。このような形態とした場合も第１の実施形態のペット用トイレ１と同様の効果が得られる。
【符号の説明】
【００３１】
図面中、１、１ａはペット用トイレ、２はトイレ本体、３は尿吸収シート、４は網状部材、５は押え枠、６は上側部材、７は下側部材、１０ａ、１０ｂは上側枠体、１１は上側部材の直線リブ、１３ａ、１３ｂは下側枠体、１４は下側部材の直線リブ、１５は窪みを示す。
【図１】
0005379180.tif 000002
【図２】
0005379180.tif 000003
【図３】
0005379180.tif 000004
【図４】
0005379180.tif 000005
【図５】
0005379180.tif 000006
【図６】
0005379180.tif 000007
【図７】
0005379180.tif 000008
【図８】
0005379180.tif 000009
【図９】
0005379180.tif 000010
【図１０】
0005379180.tif 000011
【図１１】
0005379180.tif 000012